(57)【要約】【課題】本発明は、生産時や輸送時に個別シールが剥離することがなく、バーコードの擦れによる読み取り不可の課題を解決した医薬品バーコード複合シール、および、それを備えた医薬品収容箱の提供を目的とする。【解決手段】本発明は、矩形状のシール台紙裏面側に粘着層を形成した台紙シールと、この台紙シールの表面側に医薬品用のバーコードを印字した個別シールが貼付された医薬品バーコード複合シールにおいて、前記台紙シールの４辺の１つを前記個別シールと同等以上の大きさに延長した保護部が形成され、この保護部と前記台紙シールとの境界部に折り返し部が形成され、前記保護部と前記台紙シールが前記折返し部を介し前記保護部で前記個別シールを掩蔽可能に折り返し自在とされたことを特徴とする。【選択図】図１
2015072350.tif 000002
【特許請求の範囲】
【請求項１】
矩形状のシール台紙裏面側に粘着層を形成した台紙シールと、この台紙シールの表面側に医薬品用のバーコードを印字した個別シールが貼付された医薬品バーコード複合シールにおいて、
前記台紙シールの４辺の１つを前記個別シールと同等以上の大きさに延長した保護部が形成され、この保護部と前記台紙シールとの境界部に折り返し部が形成され、前記保護部と前記台紙シールが前記折返し部を介し前記保護部で前記個別シールを掩蔽可能に折り返し自在とされた医薬品バーコード複合シール。
【請求項２】
前記保護部が、矩形状のシール台紙裏面側に粘着層を形成した台紙シールと、この台紙シールの表面側に医薬品のバーコードを印字した個別シールが貼付された構成であることを特徴とする請求項１に記載の医薬品バーコード複合シール。
【請求項３】
前記折り返しにより前記保護部と前記台紙シールの重なる端縁部に接着部が形成された請求項１または請求項２に記載の医薬品バーコード複合シール。
【請求項４】
前記折り返しにより前記保護部と前記台紙シールの重なる端縁部に差込み片とスリット部からなる結合手段が形成された請求項１または請求項２に記載の医薬品バーコード複合シール。
【請求項５】
前記シール台紙の一部であって、該シール台紙上の個別シールの輪郭を囲む位置に切り取り線が形成され、該切り取り線に沿って前記シール台紙の一部が前記個別シールとともに分離自在とされた請求項１〜請求項４のいずれか一項に記載の医薬品バーコード複合シール。
【請求項６】
医薬品の包装体を複数収容可能な箱型の収容部と、該収容部に形成された開口部を閉じる開閉蓋とを備え、請求項１〜請求項５のいずれか一項に記載された医薬品バーコード複合シールが前記開閉蓋の表面または裏面、あるいは、前記収容部の外面の一部に、折り返した状態で接着層により貼着された医薬品収容箱。
【発明の詳細な説明】
【技術分野】
【０００１】
本発明は、保護部付き医薬品バーコード複合シールおよび医薬品収容箱に関する。
【背景技術】
【０００２】
医薬品の取り違え防止のため、医家向け医薬品の直接容器には数年内にバーコード表示が義務付けられる予定になっている。ただし、ＳＰ包装（ストリップパッケージ）等の直接容器に凹凸やシール目があり、直接容器に直接バーコードを印字した場合に読み取り精度の確保が難しいものについては、バーコードを印字した複合シールをカートンやピロー包装等の２次包装に貼付し、バーコードの印字された個別シールを薬局や病院の現場にて直接容器に貼付して患者に供給する対応が認められる予定になっている。
【０００３】
従来から、医薬品包装体に貼付されているベースラベルに、医薬品情報表示を印刷可能で剥離可能な個別ラベルを貼付したタックラベルにおいて、ベースラベルに所定の表示を印刷しておくことで、印刷表示が脱落しないようにした医薬品用タックラベルが知られている（特許文献１参照）。
【先行技術文献】
【特許文献】
【０００４】
【特許文献１】特開２００７−４７４１６号公報
【発明の概要】
【発明が解決しようとする課題】
【０００５】
特許文献１に記載されているタックラベルは、医薬品包装体に貼付されるベースラベルと、裏面に粘着剤を設け表面に印刷可能な個別ラベルを備え、ベースラベルの表面に粘着剤を介し個別ラベルを剥離可能に貼付したタックラベルであり、個別ラベルを貼付していない領域に印刷可能なインキ定着面を一体的に形成している。
【０００６】
上述のバーコードを印字した従来技術の複合シールは、生産時や輸送時に個別シールが剥がれた場合、輸送時にカートンやピロー包装と擦れてバーコードの読み取りができなくなってしまう問題があった。
また、特許文献１に記載の医薬品用タックラベルは、インキ定着面に個別ラベル以外の情報を印刷することができるので、それらの情報がベースラベルから脱落することを防止できる。従って、個別ラベルが剥がれた場合、その他の情報と混合することを防止することは可能である。しかし、特許文献１に記載の医薬品用タックラベル構造では個別ラベルの輸送時脱落を防止できる構造ではないので、個別ラベルの剥がれ対策や擦れによるバーコード情報の読み取り不可への対策が必要とされる。
【０００７】
本発明は前記課題を解決するためになされたもので、生産時や輸送時に個別シールが剥離することがなく、バーコードの擦れによる読み取り不可の課題を解決した医薬品バーコード複合シール、および、それを備えた医薬品収容箱の提供を目的とする。
【課題を解決するための手段】
【０００８】
上記目的を達成するために、本発明は以下の構成を採用した。
本発明の医薬品バーコード複合シールは、矩形状のシール台紙裏面側に粘着層を形成した台紙シールと、この台紙シールの表面側に医薬品用のバーコードを印字した個別シールが貼付された医薬品バーコード複合シールにおいて、前記台紙シールの４辺の１つを前記個別シールと同等以上の大きさに延長した保護部が形成され、この保護部と前記台紙シールとの境界部に折り返し部が形成され、前記保護部と前記台紙シールが前記折返し部を介し前記保護部で前記個別シールを掩蔽可能に折り返し自在とされた医薬品バーコード複合シールに関する。
本発明の医薬品バーコードシールにおいて、前記保護部が、矩形状のシール台紙裏面側に粘着層を形成した台紙シールと、この台紙シールの表面側に医薬品のバーコードを印字した個別シールが貼付された構成にすることができる。
【０００９】
本発明の医薬品バーコード複合シールにおいて、前記折り返しにより前記保護部と前記台紙シールの重なる端縁部に接着部が形成されていても良い。
本発明の医薬品バーコード複合シールにおいて、前記折り返しにより前記保護部と前記台紙シールの重なる端縁部に差込辺とスリット部からなる結合手段が形成されていても良い。
本発明の医薬品バーコード複合シールにおいて、前記シール台紙の一部であって、該シール台紙上の個別シールの輪郭を囲む位置に切り取り線が形成され、該切り取り線に沿って前記シール台紙の一部が前記個別シールとともに分離自在とされていても良い。
【００１０】
本発明の医薬品収容箱は、医薬品の包装体を複数収容可能な箱型の収容部と、該収容部に形成された開口部を閉じる開閉蓋とを備え、先のいずれか一項に記載された医薬品バーコード複合シールが前記開閉蓋の表面または裏面、あるいは、前記収容部の外面の一部に、折り返した状態で接着層により貼着されたことを特徴とする。
【発明の効果】
【００１１】
本発明の医薬品バーコード複合シールによれば、保護部を折り返して台紙シール表面側の個別シールを覆い隠した状態で使用することにより、生産時や輸送時における個別シールの擦れや剥離を防止できる。このため、個別シールに印刷されている医薬品のバーコードや情報を読めなくなることが無く、バーコードを備えた個別シールを紛失することもないので、薬局や病院の現場において患者に医薬品を取り違えて渡すおそれがなくなる。
保護部を折り返して個別シールを覆い隠す場合、保護部と台紙シールの重なる端縁部を接着部により一体化できる構成とするならば、個別シールを保護部により確実に覆い隠すことができる。また、台紙シールに被せた保護部を生産時や輸送時にずれないように接着部が一体化するので、個別シールを確実に保護できる。
保護部を折り返して個別シールを覆い隠す場合、差込部とスリット部を利用して台紙シールに保護部を重ねて一体化するならば、個別シールを確実に覆い隠すことができる。台紙シールに被せた保護部が生産時や輸送時にずれないように差込み片とスリット部による係合により係止されるので、個別シールを確実に保護できる。
【００１２】
個別シールを備えたシール台紙を個別シールとともに切り取り線を利用して分離することでシール台紙の一部からシール台紙の一部を備えた個別シールを切り離すことができる。シール台紙の一部に個別シールを備えた状態で分離できるので、個別シールをシール台紙から剥がして医薬品入りの袋やケースに個別に貼り付けることができる。
【００１３】
医薬品の包装体を収容した箱型の収容部に上述の医薬品バーコード複合シールを折りたたみ状態で貼り付けておくことで、個別シールの擦れや剥離を防止でき、薬局や病院の現場に確実にバーコード情報を備えた個別シールを提供できる。このため、個別シールに印刷されている医薬品のバーコードや情報を読めなくなることが無く、バーコードを備えた個別シールを紛失することもないので、薬局や病院の現場において患者に医薬品を取り違えて渡すおそれがなくなる。
【図面の簡単な説明】
【００１４】
【図１】本発明に係る第１実施形態の医薬品バーコード複合シールを備えた医薬品収容箱の一例を示す斜視図。
【図２】第１実施形態の医薬品バーコード複合シールの平面図。
【図３】本発明に係る第２実施形態の医薬品バーコード複合シールの平面図。
【図４】第２実施形態の医薬品バーコード複合シールを備えた医薬品収容箱の一例を示す斜視図。
【図５】第３実施形態の医薬品バーコード複合シールの平面図。
【図６】第４実施形態の医薬品バーコード複合シールを示すもので、図６（ａ）は平面図、図６（ｂ）は裏面図。
【図７】第４実施形態の医薬品バーコード複合シールの部分断面図。
【図８】第５実施形態の医薬品バーコード複合シールを示すもので、図８（ａ）は平面図、図８（ｂ）は裏面図。
【図９】第６実施形態の医薬品バーコード複合シールを示すもので、図９（ａ）は平面図、図９（ｂ）は裏面図。
【図１０】第６実施形態の医薬品バーコード複合シールの部分断面図。
【発明を実施するための形態】
【００１５】
以下、本発明の第１実施形態について図面を参照しつつ詳細に説明する。
図１は第１実施形態の医薬品バーコード複合シール１を備えた医薬品収容箱２を示す斜視図、図２は同医薬品バーコード複合シール１を展開した状態を示す平面図である。
図１に示す医薬品収容箱２は、上面に開口部２ａを有する箱型の収容部２Ａと、この収容部２Ａの開口部２ａを開閉自在とする開閉蓋２Ｂとから構成されている。この収容部２Ａには、ＳＰ包装体あるいはピロー包装体などからなる医薬品包装体３が収容されている。この医薬品包装体３は、一例として、図１に示すようにアルミニウム箔やポリエチレンシートからなる筒体３ａの両端をヒートシール部３ｂで溶着してなる構造を例示することができる。
ＳＰ包装体とはヒートシール包装体の一種で包装体を破って中の医薬品を使用することができる。ピロー包装体とは、ＰＴＰ包装（プレススルーパッケージ）あるいはＳＰ包装した医薬品をより防湿性を確保するために、一定数量包装体で二次包装したものとすることができる。
【００１６】
前記医薬品収容箱２においては、医薬品包装体３の内部に収容されている医薬品の情報を示すバーコードを印字したシールを備えておくことが望ましく、このシールを必要に応じて医薬品包装体３に直接、あるいは、ＰＴＰ包装体またはＳＰ包装体を収容した医薬品包装体３の場合は取り出したＰＴＰ包装体またはＳＰ包装体に直接、薬局や病院の現場にてシールを貼り付け、医薬品の取り違えを防止する必要がある。
このため、本実施形態の医薬品収容箱２には、開閉蓋２Ｂの裏面側に図１、図２に示す医薬品バーコード複合シール１が折りたたみ状態で貼り付けられている。
【００１７】
図１に示す折りたたみ状態の医薬品バーコード複合シール１を展開した状態を図２に示す。
第１実施形態の医薬品バーコード複合シール１は、ミシン目からなる折返し部５を境界として矩形状の台紙シール６と矩形シート状の保護部７とが隣接一体化されてなる。
台紙シール６においてシール台紙６ａの表面中央部に複数の個別シール８が剥離自在に貼着され、シール台紙６ａにおいて折返し部５と反対側の端辺部に帯状の接着部９が形成され、シール台紙６ａにおいて裏面側全面に図示略の粘着層が形成されている。
【００１８】
個別シール８は、医薬品収容箱２に収容される医薬品の情報を含むバーコードが個々に印刷されたものであり、この実施形態では６列２行（合計１２枚）の短冊状の個別シール８がシール台紙６ａの表面中央部に位置するように隣接して貼り付けられている。このシール台紙６ａの表面には任意で医薬品情報を印刷することが可能となっている。また、任意で医薬品情報を印刷することが可能となるシール部が個別シール８の周囲に別途設けられても良い。
なお、個別シール８の裏面側には接着層が形成され、シール台紙６ａの表面側には剥離層が形成されている。以上の構成により、個別シール８はシール台紙６ａの表面に貼り付けられてはいるが、必要に応じて指で引き剥がすことができ、シール台紙６ａから引き剥がした個別シール８を個々に必要な場所に貼ることができるようになっている。
【００１９】
保護部７は、シール台紙６ａと縦幅、横幅ともに同じ大きさの矩形状のシート体であり、折返し部５と反対側の端縁部に帯状の接着部１０が形成されている。
シール台紙６ａの帯状の接着部９と保護部７の帯状の接着部１０は本実施形態ではいずれも接着層を設けて接着力を有する構成としたが、何れか一方の接着部のみに貼着力を付与し、他方の接着部は接着層の貼着力を受ける層として設けても良い。また、接着部９、１０の粘着力は、双方を重ねて貼り合わせた後、指等で引き剥がすことができる程度の粘着力に設定されている。
【００２０】
以上のように構成された医薬品バーコード複合シール１は、折返し部５を介し２つ折りにして台紙シール６の表面を保護部７で覆うとともに、接着部９、１０を重ねて貼り合わせ、台紙シール６の裏面側に形成されている接着層により開閉蓋２Ｂの裏面側に貼り付けられて使用される。
医薬品バーコード複合シール１を上述のように医薬品収容箱２の開閉蓋２Ｂに取り付けていると、開閉蓋２Ｂを閉じた状態で医薬品収容箱２を生産時や運搬時に搬送し、医薬品包装体３と擦れあったとしても、個別シール８の表面を保護部７が覆ってガードしているので、個別シール８に印刷したバーコードなどの印字の擦れや印刷の消失を引き起こすことがない。
【００２１】
医薬品収容箱２の使用者は開閉蓋２Ｂを空けて開閉蓋２Ｂの裏面側に折り返した状態で貼り付けられている医薬品バーコード複合シール１の接着部９、１０を指で開き、図２に示すように医薬品バーコード複合シール１を展開する。
この操作により個別シール８が露出されるので、必要な個別シール８を剥離シートから指で引き剥がし、医薬品収容箱２に収容されている医薬品包装体３に貼り付けることで医薬品包装体３を識別することができ、使用することができる。
あるいは、医薬品包装体３にＰＴＰ包装体が１つあるいは複数収容されていて、これらのＰＴＰ包装体に個別シール８を個々に貼り付ける必要がある場合は、医薬品包装体３を破ってＰＴＰ包装体を取り出し、各ＰＴＰ包装体に個別シール８を貼り付けて使用することができる。
【００２２】
ここで個別シール８は、印刷されているバーコードが輸送中に医薬品包装体３により擦られていないので、バーコードなどの印刷は鮮明に見ることができ、バーコードが擦れて読み取り判別ができないということはない。
よって、医薬品包装体３に収容されている医薬品を取り違えることがなく、医薬品を判別できない、ということがない。
なお、医薬品バーコード複合シール１を接着しておく位置は収容箱２の開閉蓋２Ｂの裏面に限らず、開閉蓋２Ｂの表面や収容箱２の側面や底面であっても良い。
【００２３】
図３は第２実施形態の医薬品バーコード複合シール１１の平面図、図４は同医薬品バーコード複合シール１１を備えた医薬品収容箱２を示す斜視図である。
図４に示す医薬品収容箱２は先の実施形態の医薬品収容箱２と同等であるので説明は略する。
本実施形態の医薬品バーコード複合シール１１は、ミシン目からなる折返し部５を境界として矩形状の台紙シール１２と矩形シート状の保護部１３とが隣接一体化されてなる。
台紙シール１２においてシール台紙１２ａの表面中央部に複数の個別シール８が剥離自在に貼着され、シール台紙１２ａにおいて折返し部５と反対側の端辺部中央にスリット部１４が形成され、シール台紙１２ａにおいて裏面側全面に図示略の接着層が形成されている。
保護部１３は、シール台紙１２ａと横幅同等の矩形状のシート体であり、折返し部５と反対側の端辺中央部に突起状の差込み片１５が外向きに形成されている。また、保護部１３の縦幅はシール台紙１２ａの縦幅より若干短く形成されている。従って、この実施形態において折返し部５に沿って医薬品バーコード複合シール１１を２つ折りにすると、スリット部１４の位置に差込み片１５を位置合わせできるように構成されている。
【００２４】
以上のように構成された医薬品バーコード複合シール１１は、折返し部５を介し２つ折りにして台紙シール１２の表面を保護部１３で覆うとともに、スリット１４に差込み片１５を差し込むことで台紙シール１２の表面に保護部１３を重ね合わせることができ、台紙シール表面の個別シール８を保護部１３で覆うことができる。そして、台紙シール１２の裏面側に形成されている接着層により開閉蓋２Ｂの裏面側に医薬品バーコード複合シール１１が貼り付けられている。
台紙シール１２の裏面の接着層は、スリット１４に差込み片１５を挿入できるように、スリット１４付近の裏面側について接着層が略されている。
【００２５】
医薬品バーコード複合シール１１を上述のように医薬品収容箱２の開閉蓋２Ｂに取り付けていると、開閉蓋２Ｂを閉じた状態で医薬品収容箱２を生産時や運搬時に搬送し、医薬品包装体３と擦れあったとしても、個別シール８の表面を保護部１３が覆ってガードしているので、個別シール８に印刷したバーコードなどの印字の擦れや消失を引き起こすことがない。また、本実施形態の医薬品バーコード複合シール１１は、スリット１４に挿入している差込み片１５をスリット１４から取り外すことにより、個別シール８を覆っている保護部１３を開くことができ、個別シール８を引き剥がして利用できるようになる。
本実施形態の医薬品バーコード複合シール１１を備えていることで先の医薬品バーコード複合シール１による作用効果と同等の作用効果を得ることができる。
【００２６】
図５は第３実施形態の医薬品バーコード複合シール１６の平面図である。この医薬品バーコード複合シール１６も先の実施形態と同様に、医薬品収容箱２に貼り付けて使用することができる。医薬品バーコード複合シール１６において、折返し部５と台紙シール６と保護部７の構成は先の第１実施形態の構成とほぼ同等であるので、相違している構成について以下に説明する。
本実施形態の医薬品バーコード複合シール１６は、ミシン目からなる折返し部５を境界として矩形状の台紙シール６と矩形シート状の保護部７とが隣接一体化されてなる。
シール台紙６ａにおいて折返し部５と反対側のコーナー部近くに、スリット部１７が形成され、保護部７において折返し部５と反対側のコーナー部近くに、スリット１８を形成して差込み片１９が形成されている。
【００２７】
台紙シール６に対し折返し部５を境界として保護部７を折り返し、台紙シール６の表面側の個別シール８を覆い隠すことができる点について先の第１実施形態の構造と同等である。
本実施形態において折返し部５を境として台紙シール６と保護部７を２つ折りに折り返して台紙シール６と保護部７を重ね合わせた場合、スリット部１７に差込み片１９を差し込みできるように、スリット部１７の形成位置とスリット１８の形成位置が調整されている。一例として図５の構成において、左右のスリット部１７、１７は台紙シール６の端部側に台紙シール６の端辺に対し傾斜するように平面視ハの字型に配置され、左右のスリット１８も保護部７の端部側に保護部７の端辺に対し傾斜してハの字型に配置されている。
【００２８】
以上のように構成された医薬品バーコード複合シール１６は、折返し部５を介し２つ折りにして台紙シール６の表面を保護部７で覆うとともに、スリット部１７に差込み片１９を差し込むことで台紙シール６の表面に保護部７を重ねて係止することができ、台紙シール表面の個別シール８を保護部７で覆うことができる。そして、台紙シール６の裏面側に形成されている接着層を用いて医薬品収容箱２の開閉蓋２Ｂの裏面側に医薬品バーコード複合シール１６を貼り付けて使用することができる。なお、台紙シール６の裏面側の接着層は、スリット１８によって形成される差込部１９を挿入できるように、スリット部１７付近裏面側において略されている。
本実施形態の医薬品バーコード複合シール１６を備えていることで先の実施形態の医薬品バーコード複合シール１による作用効果と同等の作用効果を得ることができる。
【００２９】
図６は第４実施形態の医薬品バーコード複合シール２０の平面図である。この医薬品バーコード複合シール２０も先の実施形態と同様に、医薬品収容箱２に貼り付けて使用することができる。
本実施形態の医薬品バーコード複合シール２０において、台紙シール２１と保護部２２の間にミシン目などからなる折返し部２３が形成され、折返し部２３を介し２つ折りとすることにより台紙シール２１の表面に保護部２２を重ねることができる構成は先の実施形態の構成と同等である。
また、保護部２２において折返し部２３と反対側の端縁部分に沿って帯状に接着部２４が形成され、台紙シール２１において折返し部２３と反対側の端縁部分に沿って帯状に被接着部２５が形成されている。前記接着部２４は、折返し部２３を介し２つ折りとすることにより台紙シール２１の表面に保護部２２を重ねた場合に、台紙シール２１の端縁側の被接着部２５に貼り付けられる。
【００３０】
本実施形態において特徴的な構造は、台紙シール２１のほぼ全面を占めるように分離シール部２６が形成され、各分離シール部２６に個別シール２７が複数貼着されている点である。
この例の分離シール部２６は、３列４行（合計１２枚）形成されており、台紙シール２１において、被接着部２５の裏面側、分離シール部２６の１列目と２列目の間の裏面側、２列目と３列目の間の裏面側、３列目と折返し部２３との間の裏面側にそれぞれライン状に接着部２８が形成されている。
【００３１】
分離シール部２６を備えた台紙シール２１の断面構造は図７に示すようになっている。
分離シール部２６は、台紙３０とシール層３１とラベル層３２が積層され、台紙３０の裏面側には、間欠的に上述の接着部２８が形成されている。そして、分離シール部２６の境界位置にミシン目からなる第１の切り取り線３３と第２の切り取り線３４と第３の切り取り線３５が台紙３０とラベル層３２をそれらの厚さ方向に貫通するように形成されている。
第１の切り取り線３３と第２の切り取り線３４は２本隣接して平行に形成され、列方向に隣接する分離シール部２６、２６の間に形成されている。これら第１の切り取り線３３と第２の切取線３４との間の領域に対応するように台紙３０の裏面側に接着部２８が形成されている。第３の切り取り線３５は行方向に隣接する分離シール部２６、２６の間に形成されている。また、台紙３０の裏面側であって接着部２８を形成した位置と離間するように平行に切り線からなる分離線３７が形成されている。この分離線３７は接着部２８の端縁と離間して形成されたその形成位置で台紙３０の厚さ方向全体を分断している。
【００３２】
以上説明の構造により、図７に示す断面図において１点鎖線３８で囲まれた領域を分離するために、１段階目を切り取り線３３、３４、３５で分離するとともに、２段階目を分離線３７に沿って分離して台紙３０を剥がすことができる。
例えば、台紙３０を含めて分離シール部２６を第１の切り取り線３３と第２の切り取り線３４と第３の切り取り線３５に沿って切り取るように手指で切り取り操作を行うことができる。さらに、分離線３７に沿って台紙３０の一部を取り外すことによって、シール層３１を露出させ、図７の断面に示すように１点鎖線３８に沿って囲まれる領域毎に分離シール部２６を容易に分離することができる。
【００３３】
１点鎖線３８で囲まれた領域の分離シール２６は、医薬品包装体３の表面に貼り付けることができる。また、個別シール２７は、医薬品包装体３（ピロー袋等）に内包されるＳＰ包装体、ＰＴＰ包装体に貼ることを想定できる。
あるいは、医薬品包装体３の内部にＰＴＰ包装体やＳＰシートを収容している場合、医薬品包装体３からＰＴＰ包装体やＳＰシートを取り出した場合に、これらに個別シール２７を貼り付けることができる。これにより医薬品の取り違えを防止できる。
【００３４】
図８は第５実施形態の医薬品バーコード複合シール４０の平面図である。この医薬品バーコード複合シール４０も先の実施形態と同様に、医薬品収容箱２に貼り付けて使用することができる。
本実施形態の医薬品バーコード複合シール４０において、台紙シール２１と保護部２２の間に折返し部２３が形成され、折返し部２３を介し２つ折りとすることにより台紙シール２１の表面に保護部２２を重ねることができる構成は先の実施形態の構成と同等である。先の実施形態の構造と同等の構造については同一符号を付してそれらの部分の説明を省略する。
【００３５】
本実施形態において特徴的な構造は、台紙シール２１のほぼ全面を占めるように分離シール部２６が形成されていることに加え、分離シール部４６が保護部２２のほぼ全面を占めるように形成され、保護部２２の各分離シール部４６にも個別シール４７が複数貼着されている点である。
保護部２２に形成されている分離シール部４６は、台紙３０の裏面側の接着部２８が略され、第１の切り取り線３３が略されている。
【００３６】
図８に示す実施形態の構造において、保護部２２に設けた分離シール部４６も必要に応じて分離し、各々の個別シール４７を使用することができる。その他の構造と作用は先の実施形態の医薬品バーコード複合シール２０と同様である。
【００３７】
図９は第６実施形態の医薬品バーコード複合シール５０の平面図である。この医薬品バーコード複合シール５０も先の実施形態と同様に、医薬品収容箱２に貼り付けて使用することができる。
本実施形態の医薬品バーコード複合シール５０において、台紙シール２１と保護部２２の間に折返し部２３が形成され、折返し部２３を介し２つ折りとすることにより台紙シール２１の表面に保護部２２を重ねることができる構成は先の実施形態の構成と同等である。
また、保護部２２において折返し部２３と反対側の端縁部分に沿って帯状に接着部２４が形成され、台紙シール２１において折返し部２３と反対側の端縁部分に沿って帯状に被接着部２５が形成されている。前記接着部２４は、折返し部２３を介し２つ折りとすることにより台紙シール２１の表面に保護部２２を重ねた場合に、台紙シール２１の端縁側の被接着部２５に貼り付けられる。
【００３８】
本実施形態において台紙シール２１の裏面側全面に接着層５１が形成されている。
本実施形態において特徴的な構造は、台紙シール２１のほぼ全面を占めるように分離シール部５６が形成され、各分離シール部５６に個別シール５７が複数貼着されている点である。
この例の分離シール部５６は、３列４行（合計１２枚）形成されている。分離シール部５６は、図１０の断面構造に示すように、台紙５２の上にシール層５３、中間層５４、シール層５５を介して個別シール５７が積層されてなり、隣接する他の分離シール部５６どうしの間に間隔５８を空けて台紙５２上に隣接配置されている。なお、中間層５４の表面には、任意で内包する医薬品情報等を印刷することが可能である。また、個別シール５７については、内包する医薬品のバーコード情報等を印刷することが可能である。
【００３９】
本実施形態の医薬品バーコード複合シール５０においても、先の実施形態と同様に、医薬品収容箱２に貼り付けて使用することができる。貼り付けに際し、台紙シール２１の裏面側の接着部５１を利用して、医薬品収容箱２の開閉蓋２Ｂの裏面側に医薬品バーコード複合シール５０を折りたたみ状態で貼り付けて使用することができる。
【００４０】
この形態の医薬品バーコード複合シール５０において分離シール部５６を分離し、医薬品包装体３の表面に貼り付けることができる。また、分離シール部５６の表面に貼り付けられている個別シール５７を必要に応じて剥がして医薬品包装体３の表面に貼り付けることもできる。あるいは、医薬品包装体３の内部にＰＴＰ包装体やＳＰシートを収容している場合は、一時的にＰＴＰ包装体やＳＰシートに分離シール部５６を貼り付けることができる。また、医薬品包装体３の内部にＰＴＰ包装体やＳＰシートを収容している場合、これらを医薬品包装体３から取り出して個々に個別シール５７を貼り付けることができる。これらにより医薬品の取り違えを防止できる。
【符号の説明】
【００４１】
１…医薬品バーコード複合シール、２…医薬品収容箱、２Ａ…収容部、２ａ…開口部、２Ｂ…開閉蓋、３…医薬品包装体、３ａ…袋体、３ｂ…ヒートシール部、５…折返し部、６…台紙シール、６ａ…シール台紙、７…保護部、８…個別シール、９…接着部、１０…接着部、１１…医薬品バーコード複合シール、１２…台紙シール、１２ａ…シール台紙、１３…保護部、１４…スリット部、１５…差込み片、１７、１８…スリット部、１９…差込み片、２０…医薬品バーコード複合シール、２１…台紙シール、２２…保護部、２３…折返し部、２４…接着部、２５…被接着部、２６…分離シール部、２７…個別シール、２８…接着部、４０…医薬品バーコード複合シール、４６…分離シール部、４７…個別シール、５０医薬品バーコード複合シール、５１…接着層、５６…分離シール部、５７…個別シール、５８…間隔。
【図１】
2015072350.tif 000003
【図２】
2015072350.tif 000004
【図３】
2015072350.tif 000005
【図４】
2015072350.tif 000006
【図５】
2015072350.tif 000007
【図６】
2015072350.tif 000008
【図７】
2015072350.tif 000009
【図８】
2015072350.tif 000010
【図９】
2015072350.tif 000011
【図１０】
2015072350.tif 000012